(57)【要約】【課題】  簡単な操作で使い勝手よく安全に電動昇降棚を昇降動作させることができる昇降棚付き収納庫およびその昇降方法を提供する。【解決手段】  電動昇降棚は、昇降操作ボタンの操作により上昇動作と下降動作が可能であり、電動昇降棚は、昇降操作ボタンの操作時間が１.５秒より短いときは上昇端位置または下降端位置まで自動的に昇降動作を行い、昇降操作ボタンの操作時間が１.５秒より長いときは手動運転で任意の位置まで昇降動作を行う。【選択図】    図４
2005198916.tif 000002
【特許請求の範囲】
【請求項１】
下方が開口したケースと、このケースに電動で昇降動作可能に取付けられて収納引き出し可能な電動昇降棚とを備え、キッチンの上部に配置される昇降棚付き収納庫であって、
前記電動昇降棚は、昇降操作ボタンの操作により上昇動作と下降動作が可能であり、
この電動昇降棚は、前記昇降操作ボタンの操作時間が所定時間より短いときは上昇端位置または下降端位置まで自動的に昇降動作を行い、前記昇降操作ボタンの操作時間が前記所定時間より長いときは手動運転で任意の位置まで昇降動作を行うことを特徴とする昇降棚付き収納庫。
【請求項２】
下方が開口したケースと、このケースに電動で昇降動作可能に取付けられて収納引き出し可能な電動昇降棚とを備え、キッチンの上部に配置される昇降棚付き収納庫における昇降方法であって、
前記電動昇降棚は、昇降操作ボタンの操作により上昇動作と下降動作が可能であり、
この電動昇降棚は、前記昇降操作ボタンの操作時間が所定時間より短いときは上昇端位置または下降端位置まで自動的に昇降動作を行い、前記昇降操作ボタンの操作時間が前記所定時間より長いときは手動運転で任意の位置まで昇降動作を行うことを特徴とする昇降棚付き収納庫の昇降方法。
【請求項３】
請求項２に記載の昇降棚付き収納庫の昇降方法であって、
前記電動昇降棚が自動的に昇降動作しているときに、前記昇降操作ボタンを操作することにより前記電動昇降棚の昇降動作を停止させるようにしたことを特徴とする昇降棚付き収納庫の昇降方法。
【請求項４】
請求項２または３に記載の昇降棚付き収納庫の昇降方法であって、
前記昇降操作ボタンを操作して、前記電動昇降棚が上昇端位置または下降端位置まで自動的に昇降動作する自動運転モードから手動運転で任意の位置まで昇降動作する手動運転モードに切換わったときは、その旨をユーザーに音または光で知らせるようにしたことを特徴とする昇降棚付き収納庫の昇降方法。
【発明の詳細な説明】
【技術分野】
【０００１】
本発明は、システムキッチン（複合厨房家具）などの上部に配置される昇降棚付き収納庫およびその昇降方法に関する。
【背景技術】
【０００２】
台所の上方空間を有効に活用するために、キッチン（たとえば、システムキッチン）の上部に吊り戸棚や収納庫を配置する場合がある。この吊り戸棚や収納庫は高い位置にあるので、台や椅子などを使って被収納物の出し入れをすることが多い。
そこで、被収納物の出し入れを容易にするために、電動で昇降動作可能な電動昇降棚を吊り戸棚などに設け、この電動昇降棚を下方に引き出し可能にした昇降棚付き収納庫が知られている。
【０００３】
たとえば、特許文献１（特開２００３−９９６２号公報）には、下方を開放した外キャビネット（ケース）内にスライド自在に内キャビネット（電動昇降棚）を設けた昇降式吊り戸棚（昇降棚付き収納庫）が提案されている。
この昇降式吊り戸棚では、操作ハンドルに操作スイッチが設けられており、この操作スイッチを操作して内キャビネットを昇降動作させるようになっている。
【特許文献１】特開２００３−９９６２号公報
【発明の開示】
【発明が解決しようとする課題】
【０００４】
ユーザーがキッチンで調理などを行うとき、操作スイッチを操作して、内キャビネットを昇降動作させるが、このとき、内キャビネットを上昇端位置または下降端位置まで自動的に昇降動作させる自動運転モードと、手動運転（すなわち、操作スイッチを押した状態のときに、昇降用モータを駆動させる運転）で任意の位置まで昇降動作させる手動運転モードとに切換え可能であれば好都合である。
【０００５】
そこで、操作スイッチとは別に、「自動運転モード／手動運転モード」の切換スイッチを設けた２ボタン方式の昇降棚付き収納庫も知られている。この２ボタン方式の構成では、操作スイッチのほかに切換スイッチがあるので、一見、操作方法が分かりやすそうであるが、次のような問題点があった。
すなわち、切換スイッチで自動運転モードと手動運転モードを切換え可能であるが、実際の使用上どのような場合に手動運転が活用されるかが不明で、切換スイッチの目的もはっきりしていないので、切換スイッチが無駄になる可能性があった。
【０００６】
この２ボタン方式の技術では、手動運転で電動昇降棚を任意の位置に昇降動作させたいとき、ユーザーは、一々表示部を目で確認しないと、自動運転になっているか手動運転になっているかが判別できなかった。
ユーザーは、表示部を見て手動運転になっていることを確認したのち操作スイッチを操作しなければならないので、手動運転のための操作が煩わしくなってしまい、切換スイッチで切換えてまで手動運転はしない可能性が高い。
手動運転になっていると思って操作したら、実は自動運転になっているとすれば、電動昇降棚はユーザーの意思に反して勝手に動いてしまうので、ユーザーは焦ってしまう。操作方法に馴れたユーザーにとってもこのような事態が生じる恐れがあるのは、安心して使用できない点で好ましくない。
【０００７】
本発明は、このような課題を解決するためになされたもので、簡単な操作で使い勝手よく安全に電動昇降棚を昇降動作させることができる昇降棚付き収納庫およびその昇降方法を提供することを目的とする。
【課題を解決するための手段】
【０００８】
上述の目的を達成するため、本発明にかかる昇降棚付き収納庫およびその昇降方法は、下方が開口したケースと、このケースに電動で昇降動作可能に取付けられて収納引き出し可能な電動昇降棚とを備え、キッチンの上部に配置される昇降棚付き収納庫およびその昇降方法であって、前記電動昇降棚は、昇降操作ボタンの操作により上昇動作と下降動作が可能であり、この電動昇降棚は、前記昇降操作ボタンの操作時間が所定時間より短いときは上昇端位置または下降端位置まで自動的に昇降動作を行い、前記昇降操作ボタンの操作時間が前記所定時間より長いときは手動運転で任意の位置まで昇降動作を行うようになっている。
前記電動昇降棚が自動的に昇降動作しているときに、前記昇降操作ボタンを操作することにより前記電動昇降棚の昇降動作を停止させるようにするのが好ましい。
前記昇降操作ボタンを操作して、前記電動昇降棚が上昇端位置または下降端位置まで自動的に昇降動作する自動運転モードから手動運転で任意の位置まで昇降動作する手動運転モードに切換わったときは、その旨をユーザーに音または光で知らせるようにするのが好ましい。
【発明の効果】
【０００９】
本発明の昇降棚付き収納庫およびその昇降方法は、上述のように構成したので、簡単な操作で使い勝手よく安全に電動昇降棚を昇降動作させることができる。
【発明を実施するための最良の形態】
【００１０】
下記の実施例にかかる昇降棚付き収納庫およびその昇降方法では、一つの昇降操作ボタンの操作で自動運転モードと手動運転モードの切換えを可能にし、また、自動運転モードの動作を「基本動作」とし、昇降操作ボタンを長押し操作すれば自動運転モードから手動運転モードに切換わるように構成することにより、簡単な操作で使い勝手よく安全に電動昇降棚を昇降動作させるという目的を実現している。
【実施例】
【００１１】
以下、本発明にかかる一実施例を、図１ないし図５を参照して説明する。
図１ないし図５は本発明の一実施例を示す図で、図１は、昇降棚付き収納庫とシステムキッチンの正面図、図２は、図１に示す昇降棚付き収納庫の斜視図、図３（Ａ），（Ｂ）は、それぞれ電動昇降棚を下方に引き出したときの前記昇降棚付き収納庫の正面図，斜視図である。
【００１２】
図１ないし図３に示すように、本実施例では、台所に設置されるキッチンの一種であるシステムキッチン（複合厨房家具）２の上部に昇降棚付き収納庫（以下、収納庫と記載）１が配置されている。なお、収納庫１は、キッチンとしての流し台の上部に配置された場合であってもよい。
システムキッチン２は、床面上に設置されたキャビネット１０を有している。キャビネット１０には、複数の引き出し，コンロ１１，食器洗い乾燥機１２などが設けられている。
収納庫１の横にはレンジフード１３が併設されている。レンジフード１３は、コンロ１１の上方で且つ収納庫１の左側に配置されている。
【００１３】
収納庫１は、その端部（ここでは、左側端部）に手動または電動の昇降棚部３が併設されてシステムキッチン２の上部に配置されている。収納庫１は、レンジフード１３と並んで右方向にほぼ水平に延びて配置された吊り戸棚になっており、台所の壁および天井の一方または両方に取付け具（図示せず）を介して支持されている。
収納庫１は、下方が開口したケース５と、ケース５に電動で昇降動作可能に取付けられて収納引き出し可能な電動昇降棚４とを備えている。電動昇降棚４には、被収納物を出し入れ可能に収納できる。
被収納物の種類としては、調理中に頻繁に使用されるものたとえば、食器類，ふきん，まな板，箸類，お玉杓子，キッチンペーパー，小物類，食品類（粉物，パック類），お茶類，その他各種のものがある。
【００１４】
電動昇降棚４は、左右に位置して縦方向に設けられた互いに平行な一対の側板２０と、側板２０の間にほぼ水平にそれぞれ取付けられた底板２１および天板（図示せず）と、側板２０，底板２１，天板に固定されて背面に配置された背板２２と、内部スペースを仕切る仕切り板２３，２４とを有し、前方が開放された矩形状をなしている。
ケース５は、矩形状に形成され下方が開口している。ケース５の前面には前板２５が取付けられている。前板２５は、電動昇降棚４の昇降動作に連動して開閉するように揺動可能であり、電動昇降棚４の上昇時にはケース５の前面全体を閉じ、電動昇降棚４の下降時にはケース５の下方側を開くようになっている。
ケース５の後面と収納棚部３の後面は、レンジフード１３の後面と面一になっており、ケース５の上面と収納棚部３の上面とレンジフード１３の上面は、ほぼ水平方向に面一になっている。したがって、収納庫１，昇降棚部３およびレンジフード１３を、台所の壁面や天井面などに対して隙間がないように設置することができる。
【００１５】
電動昇降棚４の左右方向中央部の下部には、操作ハンドル２６が取付けられている。操作ハンドル２６は、電動昇降棚４の下面手前側に位置して、電動昇降棚４の前面より突出しないように設けられている。また、操作ハンドル２６は、比較的大型でコ字状をなし、握り易いように握り部位が断面円形または楕円形に形成されている。
操作ハンドル２６の前面には、収納庫１の電源をオン，オフするためのスイッチ３０，スイッチ３０をオンしたときに点灯するランプ３１，照明スイッチ３２，電動昇降棚４を昇降動作させるときに操作する昇降操作ボタン３３などが設けられている。なお、昇降操作ボタン３３は、電動昇降棚４の他の場所またはケース５に設けられた場合でもよい。
昇降操作ボタン３３は、操作ハンドル２６の前面から前方に突出して起倒可能になっており、常態では床面とほぼ平行な位置で停止し、起倒するとスイッチが入るようになっている。
電動昇降棚４は、昇降操作ボタン３３の操作により上昇動作と下降動作が可能である。すなわち、昇降操作ボタン３３を上方に押すと電動昇降棚４が上昇動作し、昇降操作ボタン３３を下方に押すと電動昇降棚４が下降動作を行う。
電動昇降棚４が上昇端位置まで上昇すると、上リミットスイッチがオンして上昇動作を停止させ、電動昇降棚４が下降端位置まで下降すると、下リミットスイッチがオンして下降動作を停止させる。
【００１６】
操作ハンドル２６の昇降操作ボタン３３を操作すれば、昇降操作ボタン３３から出力される信号で昇降駆動部が駆動される。昇降駆動部は、駆動用のモータ，このモータにより往復移動可能なベルト，このベルトを案内するローラなどを有している。この昇降駆動部により、電動昇降棚４が、矢印Ｂに示すように昇降してケース５に対して収納引き出し可能になる。
このように昇降操作ボタン３３を操作すれば、電動昇降棚４は昇降駆動部に駆動されて上昇動作と下降動作を行う。システムキッチン２での調理などの作業時に、電動昇降棚４を下方に引き出して、電動昇降棚４に対して被収納物を容易に出し入れすることができる。
【００１７】
電動昇降棚４は、昇降操作ボタン３３の操作時間が所定時間より短いとき（たとえば、約１.５秒未満のワンタッチ操作のとき）は、自動運転で上昇端位置または下降端位置まで自動的に昇降動作を行う。
昇降操作ボタン３３の操作時間が所定時間より長いとき（たとえば、約１.５秒以上の長押し操作のとき）は、電動昇降棚４は、手動運転（昇降操作ボタン３３を押したままの状態のときに、昇降駆動部のモータを駆動させる運転）で任意の位置まで昇降動作を行う。
このように、操作時間が所定時間未満の場合に自動運転モードとし、操作時間が所定時間以上のとき（長押し操作のとき）、手動運転モードに切換わるようになっている。なお、操作時間が所定時間以下の場合に自動運転モードとし、操作時間が所定時間を超えると手動運転モードに切換わるようにしてもよい。
【００１８】
本発明の昇降操作ボタン３３は、電動昇降棚４を上昇，下降させる機能に加えて、切換スイッチとしての機能も兼ねている。その結果、一つの昇降操作ボタン３３を操作すればよいので、簡単な操作で使い勝手よく電動昇降棚４を昇降動作させることができる。
昇降操作ボタン３３の有するこの切換スイッチとしての機能は、電動昇降棚４を、上昇端位置または下降端位置まで自動的に昇降動作させる自動運転モードから、手動運転で任意の位置まで昇降動作させる手動運転モードに切換えることが可能な機能のことである。
【００１９】
収納庫１の前方表面は、平面視でシステムキッチン２の前方表面より後方に下がった位置に配置されている。電動昇降棚４は、下方に引き出されるとシステムキッチン２のシンクの後方側に位置する。
したがって、ユーザーがシステムキッチン２で調理などの作業を行うとき、電動昇降棚４を下方に引き出した状態で被収納物を出し入れできて使い勝手がよく、また、電動昇降棚４が下方に引き出されても、それほど調理などの作業の邪魔にはならない。
【００２０】
本実施例では、昇降操作ボタン３３を長押し操作して、電動昇降棚４が自動的に昇降動作する自動運転モードから、手動運転で昇降動作する手動運転モードに切換わったときは、その旨（手動運転モードに切換わった旨）をユーザーに音（たとえば、ブザー音）または光で知らせるようにしている。
その結果、ユーザーが操作ミスをしたり昇降操作ボタン３３を余分に長押し操作することがなくなって、調理作業などの効率が向上する。また、ユーザーは、昇降操作ボタン３３から目を離してブラインドタッチで操作しても、自動運転モードから手動運転モードへの切換えをブザー音などで容易に確認することができる。
【００２１】
ところで、日常のキッチン作業では、同時にいくつかの調理作業を並行して進めることが多い。そのため、電動昇降棚４を昇降させるための操作はワンタッチで行って、電動昇降棚４を上昇端位置または下降端位置まで自動的に昇降動作させる方が、操作時間が無駄にならない。すなわち、ユーザーは、電動昇降棚４が昇降動作する間イライラしながら待たなくてよく、電動昇降棚４の昇降動作中に別の作業を行うことができる。
したがって、収納庫１を使用する普段のキッチン作業全般を考慮したときに、電動昇降棚４が自動的に昇降動作する方が、一番スムーズで煩わしくなく簡単で便利である。その結果、本発明では、電動昇降棚４が上昇端位置または下降端位置まで自動的に昇降動作することを、「基本動作」にしている。
【００２２】
一方、キッチン作業中に、ユーザーが、電動昇降棚４を自分の思い通りに動かして（マニュアル動作させて）、任意の位置で停止させ被収納物の出し入れをしたい場合もある。
このようなアナログ的な動作を残すことも使い勝手に関しては重要であるので、昇降操作ボタン３３に切換スイッチの機能を付加して、「選択動作」としてのマニュアル動作を複雑な操作なしで選択できるようにしている。自動運転モードから手動運転モードに切換えるための昇降操作ボタン３３の操作としては、約１.５秒以上の長押し操作が好ましい。
電動昇降棚４を手動運転で任意の位置まで昇降動作させる運転は、電動昇降棚４の内部スペースをほぼ半分だけ引き出して使いたいときや、身長に合う位置に電動昇降棚４を停止させたいときに行われる。
【００２３】
もし仮に、本実施例とは逆に、前記手動運転モードにおける動作を「基本動作」とし、前記自動運転モードにおける動作を「選択動作」とし、昇降操作ボタン３３を長押し操作することにより、手動運転モードから自動運転モードに切換え可能にした場合には、基本動作時（マニュアル動作時）の待ち時間が長くなって作業能率が低下してしまう。
手動運転モードであると思っていたら実は自動運転モードに切換わっている場合もあるので、このようなとき電動昇降棚４はユーザーの意思に反して勝手に動いてしまい、ユーザーは焦ってしまう。
これに対して、本実施例では自動運転モードでの動作が基本動作で、電動昇降棚４はユーザーの意思通りに動くので、安全で使い勝手がよい。
【００２４】
通常、電動昇降棚４の収納スペースに被収納物を出し入れするときは、電動昇降棚４の実際の昇降動作と停止位置を考えると、電動昇降棚４を下方に全部引き出すか、または中央の水平の仕切り板２４の位置まで引き出すかのどちらの場合がほとんどであり、引き出し位置を細かく微調整して使用する必要性はほとんどない。
そこで、本実施例では、自動運転を基本動作とし、昇降操作ボタン３３を長押し操作すれば自動運転から手動運転に切換わるようにしている。この手動運転における動作（選択動作）では、昇降操作ボタン３３を手で押したままで電動昇降棚４が任意の位置（たとえば、仕切り板２４がある中央位置）まで目で確認しながら電動昇降棚４を下降させ、昇降操作ボタン３３から手を離すと電動昇降棚４は停止する。
このように、自動運転が基本動作で電動昇降棚４はユーザーの意思通りに動くことになるので安全であり、長押し操作で手動運転に切換えたときも電動昇降棚４はその位置を微調整せず大きく動くので、操作が簡単で使い勝手がよい。
【００２５】
なお、本実施例の第１の変形例として、電動昇降棚４が自動的に昇降動作しているときに（すなわち、自動運転時に）、昇降操作ボタン３３を操作する（たとえば、ワンタッチ操作する）ことにより、電動昇降棚４の昇降動作を停止させる機能を付加するのが好ましい。
このようにすれば、昇降操作ボタン３３を長押し操作して手動運転モードに切換えなくても、電動昇降棚４を任意の位置に停止させることができ、操作がより簡単で使い勝手もさらによくなる。
【００２６】
次に、収納庫１の動作について図４，図５を参照して説明する。
図４は、電動昇降棚４を上昇動作させるときの手順を示すフローチャート、図５は、電動昇降棚４を下降動作させるときの手順を示すフローチャートである。
図４に示すように、電動昇降棚４を上昇させるときは、電源用のスイッチ３０を押して収納庫１をオンした後、昇降操作ボタン３３を上方に押す操作（このときは、ワンタッチ操作）を行う（ステップ１０１）。
電動昇降棚４の全体がケース５内に収納されて、上リミットスイッチがオンしているときは（ステップ１０２）、上昇動作は停止し（ステップ１０３）、スタートに戻る（ステップ１０４）。
【００２７】
電動昇降棚４がケース５から下方に引き出されているときは、上リミットスイッチがオフなので（ステップ１０２）、電動昇降棚４は自動的に上昇動作する（ステップ１０５）。ステップ１０９で、昇降操作ボタン３３の操作時間が約１.５秒未満の場合には、基本動作である自動運転モードのままであり、ステップ１０６に移行して自動的に上昇動作を行う。
やがて、電動昇降棚４が上昇端位置まで上昇して上リミットスイッチがオンすると（ステップ１０７）、上昇動作は停止し（ステップ１０８）、その後スタート（ステップ１０１）に戻る（ステップ１０４）。ステップ１０７で上リミットスイッチがオンしていないときは、ステップ１０６に戻って手順を繰り返す。
【００２８】
ステップ１０９で、昇降操作ボタン３３の操作時間が約１.５秒以上の長押しの場合には、自動運転モードから手動運転モードに切換わり、「ピッ」というブザー音が鳴ってその旨（手動運転モードに切換わった旨）をユーザーに知らせるとともに（ステップ１１０ａ）、手動運転モードで上昇動作を行う（ステップ１１０ｂ）。この上昇動作は、ユーザーが昇降操作ボタン３３を上方に押し続けているあいだ継続する。
ユーザーの希望する任意の位置まで電動昇降棚４が上昇し、ユーザーが昇降操作ボタン３３から手を離すと（ステップ１１１）、上昇動作は停止する（ステップ１１２）。この状態で、ユーザーは電動昇降棚４に被収納物を出し入れすることができる。
ステップ１１１で、昇降操作ボタン３３を押したままで、上リミットスイッチがオンしていない間は（ステップ１１３）、ステップ１１０ｂに戻る。ステップ１１３で上リミットスイッチがオンすると、電動昇降棚４は上昇端位置まで上昇してしまったので上昇動作は停止する（ステップ１１２）。ステップ１１２で上昇動作が停止すると、スタートに戻る（ステップ１０４）。
【００２９】
一方、図５に示すように、電動昇降棚４を下降させるときは、収納庫１がオンした状態で、昇降操作ボタン３３を下方に押す操作（このときは、ワンタッチ操作）を行う（ステップ２０１）。
電動昇降棚４がケース５から引き出されて下方端に位置して、下リミットスイッチがオンしているときは（ステップ２０２）、下降動作は停止し（ステップ２０３）、スタートに戻る（ステップ２０４）。
【００３０】
電動昇降棚４がケース５から下方端位置より上方に位置しているときは、下リミットスイッチがオフなので（ステップ２０２）、電動昇降棚４は自動的に下降動作する（ステップ２０５）。
ステップ２０９で、昇降操作ボタン３３の操作時間が約１.５秒未満の場合には、基本動作である自動運転モードのままであり、ステップ２０６に移行して自動的に下降動作を行う。
やがて、電動昇降棚４が下降端位置まで下降して下リミットスイッチがオンすると（ステップ２０７）、下降動作は停止し（ステップ２０８）、その後スタート（ステップ２０１）に戻る（ステップ２０４）。ステップ２０７で下リミットスイッチがオンしていないときは、ステップ２０６に戻って手順を繰り返す。
【００３１】
ステップ２０９で、昇降操作ボタン３３の操作時間が約１.５秒以上の長押しの場合には、自動運転モードから手動運転モードに切換わり、「ピッ」というブザー音が鳴ってその旨（手動運転モードに切換わった旨）をユーザーに知らせるとともに（ステップ２１０ａ）、手動運転モードで下降動作を行う（ステップ２１０ｂ）。この下降動作は、ユーザーが昇降操作ボタン３３を下方に押し続けているあいだ継続する。
ユーザーの希望する任意の位置まで電動昇降棚４が下降し、ユーザーが昇降操作ボタン３３から手を離すと（ステップ２１１）、下降動作は停止する（ステップ２１２）。この状態で、ユーザーは電動昇降棚４に被収納物を出し入れすることができる。
ステップ２１１で、昇降操作ボタン３３を押したままで、下リミットスイッチがオンしていない間は（ステップ２１３）、ステップ２１０ｂに戻る。ステップ２１３で下リミットスイッチがオンすると、電動昇降棚４は下降端位置まで下降してしまったので下降動作は停止する（ステップ２１２）。ステップ２１２で下降動作が停止すると、スタートに戻る（ステップ２０４）。
【００３２】
本実施例では、昇降操作ボタン３３の操作時間が約１.５秒以上か否かの判別をステップ１０９，２０９で行っているが、第２の変形例として、スタート直後にボタン操作を行うステップ１０１，２０１で、昇降操作ボタン３３の操作時間が所定時間（約１.５秒）以上か否かを判別する手順であってもよい。
なお、電動昇降棚４が自動的に昇降動作しているときに、昇降操作ボタン３３を操作（たとえば、ワンタッチ操作）して電動昇降棚４の昇降動作を停止させる機能を付加する前記第１の変形例の場合には、この機能の手順は、自動的に上昇または下降しているステップ１０５〜ステップ１０７の間またはステップ２０５〜ステップ２０７の間に設けるのが好ましい。
【００３３】
上述のように、本発明によれば、電動昇降棚４をほとんどブラインドタッチで操作することができ、且つユーザーの意思通りに昇降動作させることができるので、収納庫１の操作や動作に気を取られることなく安心して調理作業に集中することができる。こうしてキッチン作業がよりスムーズになったことで、ユーザーにとって料理を作る楽しみが増加する。
【００３４】
以上、本発明の実施例（変形例を含む）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３５】
本発明は、電動で昇降可能な電動昇降棚を有し、システムキッチンなどの上部に配置される昇降棚付き収納庫に適用可能である。
【図面の簡単な説明】
【００３６】
【図１】図１ないし図５は本発明の一実施例を示す図で、図１は、昇降棚付き収納庫とシステムキッチンの正面図である。
【図２】図１に示す昇降棚付き収納庫の斜視図である。
【図３】図３（Ａ），（Ｂ）は、それぞれ電動昇降棚を下方に引き出したときの前記昇降棚付き収納庫の正面図，斜視図である。
【図４】前記電動昇降棚を上昇動作させるときの手順を示すフローチャートである。
【図５】前記電動昇降棚を下降動作させるときの手順を示すフローチャートである。
【符号の説明】
【００３７】
１    昇降棚付き収納庫
２    システムキッチン（キッチン）
４    電動昇降棚
５    ケース
３３  昇降操作ボタン
【図１】
2005198916.tif 000003
【図２】
2005198916.tif 000004
【図３】
2005198916.tif 000005
【図４】
2005198916.tif 000006
【図５】
2005198916.tif 000007